(57)【要約】      （修正有）【課題】襟回りの部分が着崩れしない襟巻の提供。【解決手段】襟巻について、襟巻の表面または裏面に、襟巻の短辺の中心線に沿って、適当な長さと適当な幅の織物または不織布を取り付け、又は、着脱自在に取り付ける構造とする。【選択図】図１
2007162197.tif 000002
【特許請求の範囲】
【請求項１】
襟巻について、襟巻の表面または裏面に、襟巻の短辺の中心線に沿って、適当な長さと適当な幅の織物または不織布を取り付けることとしたことを特徴とする襟巻。
【請求項２】
襟巻の表面または裏面に、襟巻の短辺の中心線に沿って、適当な長さと適当な幅の織物または不織布を着脱自在に取り付けることとしたことを特徴とする請求項１記載の襟巻。
【発明の詳細な説明】
【技術分野】
【０００１】  本発明は、着崩れしない襟巻に関する。
【背景技術】
【０００２】  従来の襟巻は、その全体が毛織物やシルク等の柔軟性に富んだ材料で作られている。
【発明の開示】
【発明が解決しようとする課題】
【０００３】  襟巻は、防寒とか装飾のために、通常は、襟巻を短辺の中心線に沿って二つ折りにして襟首に巻いて使用するが、従来の襟巻は、その全体が毛織物やシルク等の柔軟性に富んだ材料で作られていたために、襟回りの部分が着崩れして、上着の襟にずり落ち、襟元が見苦しくなるということが多かった。このことは、フオ−マルなコ−トやス−ツに合わせて着用されることが多い紳士用の襟巻について、とりわけ問題であった。【０００４】  本発明は、このような従来の襟巻が有していた問題を解決しようとするものであり、襟回りが着崩れしない襟巻を実現することを目的とする。
【課題を解決するための手段】
【０００５】  本発明の襟巻は、上記の目的を達成するため、襟巻の表面または裏面に、襟巻の短辺の中心線に沿って、適当な長さと適当な幅の織物または不織布を取り付け、当該中心線に沿った部分を二重の構造としたものである。【０００６】  また、第２の課題解決手段は、襟巻の表面または裏面に、襟巻の短辺の中心線に沿って、適当な長さと適当な幅の織物または不織布を着脱自在に取り付ける構造としたものである。【０００７】  上記の課題解決手段による作用は次のとおりである。すなわち、襟巻の表面または裏面に、襟巻の短辺の中心線に沿って適当な長さと適当な幅の織物または不織布が取り付けられているので、当該中心線に沿った部分が二重構造になり、当該部分が補強され、その部分の腰が強くなる。【０００８】  また、第２の課題解決手段による作用は、次のとおりである。すなわち、襟巻の表面または裏面に、襟巻の短辺の中心線に沿って、適当な長さと適当な幅の織物または不織布を取り付けた場合には、当該中心線に沿った部分が二重構造になり、当該部分が補強され、その部分の腰が強くなる。また、適当な長さと適当な幅の織物または不織布を取り外した場合には、従来の襟巻と同じ状態になる。
【発明の効果】
【０００９】  本発明の襟巻は、上記のように、襟巻の表面または裏面の短辺の中心線に沿った部分について腰を強くする構造になっているので、当該腰を強くした部分が支えになって、襟回りの部分が着崩れしなくなる。また、当該腰を強くした部分が襟首に密着するので暖かく防寒機能も高まる。また、取り付けられる補強部材が織物または不織布であり、かつ、襟巻の腰を強くする部分が一部分に限られる構造なので襟巻としての柔軟性が損なわれることはない。また、適当な長さと適当な幅の織物または不織布を襟巻の表面ではなく裏面に取り付けた場合には、襟巻を二つ折りにすると、当該適当な長さと適当な幅の織物または不織布が襟巻の内側に隠れることになり、外観上も違和感がなく、直接肌に触れることもないので着用感も損なわれることがない。【００１０】  また、第２の課題解決手段の場合には、上記の効果に加えて、適当な長さと適当な幅の織物または不織布を取付ける位置やサイズを変えることにより、襟回りのスタイルを変えることができるので、例えば、ハイネックな襟巻を演出できるなど装飾品としてのヴァリエ−ションも広がる。さらには、適当な長さと適当な幅の織物または不織布を取り外すことによって従来の襟巻と同じ状態で使用することができる等利用方法も広がり便利である。
【発明を実施するための最良の形態】
【００１１】  以下、本発明の実施の形態を図に基づいて説明する。
【実施例１】
【００１２】  請求項１の襟巻について、実施例１の場合、図１および図２においては、１ａは、長方形の羊毛の襟巻であり、２ａは、幅３〜４センチ程度、長さ５０〜６０センチ程度の細長い長方形の腰の強い羊毛のフエルトである。
この襟巻は、襟巻１ａの裏面に、羊毛のフエルト２ａを、襟巻の短辺の中心線に沿って縫いつけて製作する。
この襟巻は、襟巻を短辺の中心線に沿って二つ折りにして、羊毛のフエルト２ａが、二つ折りにした襟巻の内側に隠れるようにして使用する。
【実施例２】
【００１３】  請求項２の襟巻について、実施例２の場合、図３および図４においては、１ｂは、長方形の羊毛の襟巻であり、２ｂは、幅３〜４センチ程度、長さ５０〜６０センチ程度の細長い長方形の腰の強い羊毛のフエルトである。３ｂは、幅１〜２センチ程度、長さ３センチ程度のマジックテ−プ（商標名）である。
この襟巻は、襟巻１ｂの裏面の短辺の中心線に沿った部分の適当な位置および羊毛のフエルト２ｂの裏面の適当な位置にそれぞれマジックテ−プ（商標名）３ｂを取付けて製作する。
この襟巻は、襟巻１ｂの裏面の短辺の中心線に沿った部分に羊毛のフエルト２ｂをマジックテ−プ（商標名）３ｂで着脱自在に取り付けて使用する。
【実施例３】
【００１４】  請求項２の襟巻について、実施例３の場合、図５および図６においては、１ｃは，羊毛の襟巻であり、２ｃは、幅３〜４センチ程度、長さ５０〜６０センチ程度の細長い長方形の腰の強い羊毛のフエルトである。３ｃは、幅１〜２センチ程度、長さ４〜５センチ程度のバンド通しである。
この襟巻は、襟巻１ｃの裏面の短辺の中心線に沿った部分の適当な位置にバンド通し３ｃを取付けて製作する。
この襟巻は、襟巻１ｃの裏面の短辺の中心線に沿った部分に、羊毛のフエルト２ｃをバンド通し３ｃに通して着脱自在に取り付けて使用する。
【図面の簡単な説明】
【００１５】
【図１】  本発明の請求項１の実施例１の襟巻の底面図
【図２】  本発明の請求項１の実施例１の襟巻の側面図
【図３】  本発明の請求項２の実施例２の襟巻の底面図
【図４】  本発明の請求項２の実施例２の襟巻の側面図
【図５】  本発明の請求項２の実施例３の襟巻の底面図
【図６】  本発明の請求項２の実施例３の襟巻の側面図
【符号の説明】
【００１６】１ａ、１ｂおよび１ｃ    襟巻
２ａ  ２ｂおよび２ｃ    幅３〜４センチ程度、長さ５０〜６０センチ程度の細長い長方形の腰の強い羊毛のフエルト
３ｂ                    幅１〜２センチ程度、長さ３センチ程度のマジックテ−プ（商標名）
３ｃ                    幅１〜２センチ程度、長さ４〜５センチ程度のバンド通し
【図１】
2007162197.tif 000003
【図２】
2007162197.tif 000004
【図３】
2007162197.tif 000005
【図４】
2007162197.tif 000006
【図５】
2007162197.tif 000007
【図６】
2007162197.tif 000008